(57)【要約】 【課題】  樹脂流動性を向上させる。【解決手段】  雌ハウジング１０の下面から両側面にかけた三面領域に亘ってリテーナ装着孔１７が開口して形成されている。リテーナ９０はリテーナ装着孔１７に対して仮係止位置から本係止位置へと斜めに差し込まれる。雌ハウジング１０の両側面にはリテーナ装着孔１７の開口を挟んだ前後の領域間に跨ってブリッジ部２０が架設されている。ブリッジ部２０にはリテーナ９０の差し込み方向に延出するガイド部１９が形成され、リテーナ９０にはリテーナ装着孔１７に差し込まれる過程でガイド部１９と摺接してこのリテーナ９０の差し込み動作を案内する被ガイド部９１が形成されている。【選択図】  図５
2006216323.tif 000002
【特許請求の範囲】
【請求項１】
端子金具が挿入されるキャビティが形成されたハウジングと、このハウジングに形成されたリテーナ装着孔に差し込まれ、正規挿入された前記端子金具を抜け止め状態で保持するリテーナとを備え、前記リテーナ装着孔は、前記ハウジングの外面のうち、前記リテーナの差し込み方向に対向する面とこれに隣接する二面の三面領域に亘って開口しており、前記リテーナは、前記端子金具の挿入方向に対して斜めにその差し込み方向が設定されているコネクタであって、
前記ハウジングにおける前記二面のうちの少なくとも一面には、前記リテーナ装着孔の開口を挟んだ前後の領域間に跨ってブリッジ部が架設されており、
前記ブリッジ部には、前記リテーナの差し込み方向に延出するガイド部が形成され、前記リテーナには、前記リテーナ装着孔に差し込まれる過程で前記ガイド部と摺接してこのリテーナの差し込み動作を案内する被ガイド部が形成されていることを特徴とするコネクタ。
【請求項２】
前記リテーナは、前記端子金具の挿抜を許容する仮係止位置と前記端子金具を係止する本係止位置との間を変位可能に前記ハウジングに保持されており、前記ブリッジ部には、前記ガイド部の一端につながって前記リテーナの差し込み方向と交差する方向に延出するストッパ部が形成され、前記ハウジングにおける前記リテーナ装着孔の開口を前記ストッパ部と前記ガイド部とが区画することでガイド孔が形成されており、
前記リテーナの装着時に前記被ガイド部が前記ストッパ部を弾性的に乗り越えて前記ガイド孔に嵌め入れられ、前記仮係止位置では、前記ガイド孔に嵌め入れられた前記被ガイド部が前記ストッパ部に掛け止めされることで前記リテーナの抜け止めがなされる構成としたことを特徴とする請求項１に記載のコネクタ。
【発明の詳細な説明】
【技術分野】
【０００１】
本発明は、コネクタに関する。
【背景技術】
【０００２】
従来より、端子金具を挿入可能な複数のキャビティが形成されたハウジングと、このハウジングに形成されたリテーナ装着孔に差し込まれ、端子金具を抜け止め状態で保持するリテーナとを備えたコネクタが知られている。また、この種のコネクタの中には、リテーナ装着孔がハウジングの下面と両側面との三面領域に亘って開口し、かつ、リテーナがハウジングの下面におけるリテーナ装着孔の開口から斜め上方に差し込まれるものがある（例えば、以下の特許文献１を参照）。
【特許文献１】特開２００４−３１０３２公報
【発明の開示】
【発明が解決しようとする課題】
【０００３】
ところで、上記のハウジングは、三面領域に亘って形成されるリテーナ装着孔に起因し、このリテーナ装着孔を挟んで前部側から後部側へとつながる部分が細くなっていた。したがって、金型成形時、前部側を成形するための領域から後部側を成形するための領域へと（または後部側を成形するための領域から前部側を成形するための領域へと）樹脂が流れ難く、成形加工性が低下する要因となっていた。
【０００４】
本発明は上記のような事情に基づいて完成されたものであって、樹脂流動性を向上させることを目的とする。
【課題を解決するための手段】
【０００５】
上記の目的を達成するための手段として、請求項１の発明は、端子金具が挿入されるキャビティが形成されたハウジングと、このハウジングに形成されたリテーナ装着孔に差し込まれ、正規挿入された前記端子金具を抜け止め状態で保持するリテーナとを備え、前記リテーナ装着孔は、前記ハウジングの外面のうち、前記リテーナの差し込み方向に対向する面とこれに隣接する二面の三面領域に亘って開口しており、前記リテーナは、前記端子金具の挿入方向に対して斜めにその差し込み方向が設定されているコネクタであって、前記ハウジングにおける前記二面のうちの少なくとも一面には、前記リテーナ装着孔の開口を挟んだ前後の領域間に跨ってブリッジ部が架設されており、前記ブリッジ部には、前記リテーナの差し込み方向に延出するガイド部が形成され、前記リテーナには、前記リテーナ装着孔に差し込まれる過程で前記ガイド部と摺接してこのリテーナの差し込み動作を案内する被ガイド部が形成されている構成としたところに特徴を有する。
【０００６】
請求項２の発明は、請求項１に記載のものにおいて、前記リテーナは、前記端子金具の挿抜を許容する仮係止位置と前記端子金具を係止する本係止位置との間を変位可能に前記ハウジングに保持されており、前記ブリッジ部には、前記ガイド部の一端につながって前記リテーナの差し込み方向と交差する方向に延出するストッパ部が形成され、前記ハウジングにおける前記リテーナ装着孔の開口を前記ストッパ部と前記ガイド部とが区画することでガイド孔が形成されており、前記リテーナの装着時に前記被ガイド部が前記ストッパ部を弾性的に乗り越えて前記ガイド孔に嵌め入れられ、前記仮係止位置では、前記ガイド孔に嵌め入れられた前記被ガイド部が前記ストッパ部に掛け止めされることで前記リテーナの抜け止めがなされる構成としたところに特徴を有する。
【発明の効果】
【０００７】
＜請求項１の発明＞
ハウジングにおいてリテーナの差し込み方向と対向する面に隣接する二面のうちの少なくとも一面にはリテーナ装着孔の開口を挟んだ前後の領域間に跨ってブリッジ部が架設されているから、金型成形時、ブリッジ部を成形するための領域にも樹脂が流れることとなり、樹脂流動性が改善される。しかも、ブリッジ部にはリテーナの差し込み方向にガイド部が形成され、リテーナにはリテーナ装着孔に差し込まれる過程でガイド部と摺接してこのリテーナの差し込み動作を案内する被ガイド部が形成されているから、リテーナの差し込み姿勢が矯正されるとともに正規の装着位置へと確実に導かれる。つまり、ブリッジ部がリテーナのガイド機能を兼ねるので、かかるガイド機能を別途設ける必要がない。
【０００８】
＜請求項２の発明＞
リテーナが仮係止位置と本係止位置との間を変位可能にハウジングに保持されており、仮係止位置ではガイド孔に嵌め入れられた被ガイド部がストッパ部に掛け止めされることでリテーナの抜け止めがなされる構成としたから、仮係止位置におけるリテーナがハウジングから外れ落ちるのを防止できる。つまり、ブリッジ部がリテーナの抜け止め機能を兼ねるので、かかる抜け止め機能を別途設ける必要がない。
【発明を実施するための最良の形態】
【０００９】
本発明の一実施形態を図１ないし図１２によって説明する。本実施形態のコネクタは、雄側のコネクタハウジング（図示せず）と嵌合可能な雌側のコネクタハウジング（以下、雌ハウジング１０という）を備え、雌ハウジング１０にはリテーナ９０が装着されている。なお、以下においては、雄側のコネクタハウジングとの嵌合面側を前方として説明する。
【００１０】
雌ハウジング１０は、合成樹脂材によって横長断面をなすブロック状に形成されている。雌ハウジング１０の内部には上下二段で幅方向に複数列のキャビティ１１が前後に貫通して形成されている。各キャビティ１１には、図９に示すように、後方から雌端子金具４０が挿入されて収容可能となっており、キャビティ１１の前面開口は、雄側のコネクタハウジングに収容された雄端子金具のタブ（図示せず）を通過可能としている。
【００１１】
雌端子金具４０は、本体部４１とこの本体部４１の後方に配されて電線Ｗをかしめ固定するワイヤバレル４２及びインシュレーションバレル４３とを一体に連ねて構成されている。本体部４１は、導電性金属板を幅方向に折り曲げ加工することで断面方形状の箱型に形成されている。本体部４１の一端からはスタビライザ４４が上向きに突出して形成されている。スタビライザ４４は、キャビティ１１の上面における片側コーナー部分に沿って形成された逃がし溝（図示せず）を摺接可能となっており、雌端子金具４０が逆向きに挿入されたときにはスタビライザ４４と逃がし溝とが不適合となることで雌端子金具４０の逆挿入を防止するものである。
【００１２】
本体部４１内には、その前端縁から後方へ向けて折り返された片持ち状の弾性接触片４５が配置されている。弾性接触片４５は、側面視すると山型をなし、上下方向に撓み変形可能となっている。弾性接触片４５の山の頂上部には相手側のタブとの接点部４５Ａが突設されており、接点部４５Ａとこれに対向する受け部４１Ｆとの間でタブを弾性的に挟持するようになっている。
【００１３】
また、雌ハウジング１０におけるキャビティ１１の上面には、ランス１２が一体形成されている。ランス１２は、キャビティ１１の上面と連なる部分を基端部として前方へ片持ち状に延出して形成され、上下方向に撓み変形可能となっている。ランス１２の自由端側にはキャビティ１１側へ向けて突出する係止突起１２Ａが形成されている。ランス１２の上方には撓み空間１３が保有されており、この撓み空間１３を含めたランス１２の前方には、ランス１２の成形に伴う型抜き孔１４が雌ハウジング１０の前面に開口し、かつキャビティ１１に連通して形成されている。ランス１２は、キャビティ１１内への雌端子金具４０の挿入途上でこの雌端子金具４０と干渉して撓み空間１３側へ押し上げられ、雌端子金具４０が正規挿入されると弾性復帰してその係止突起１２Ａを本体部４１に設けられた係止孔４７に係止させることにより、雌端子金具４０を抜け止め状態で保持する。
【００１４】
また、雌ハウジング１０の上面における幅方向ほぼ中央部には、ロックアーム１５が形成されている。ロックアーム１５は、その基端部が雌ハウジング１０の上面前端部に支持された状態で後方へ片持ち状に延出して形成され、その自由端側には操作部１５Ａが設けられている。ロックアーム１５の上面の長さ方向ほぼ中央位置にはロック突部１５Ｂが形成されている。ロック突部１５Ｂは、ロックアーム１５の撓み変形を伴いつつ相手側となる雄側のコネクタハウジングに弾性的に係止され、両ハウジングを離脱規制した状態で保持するものである。
【００１５】
ロックアーム１５の長さ方向ほぼ中央位置よりも後方領域は、下面が面取りされたテーパ面１５Ｅが形成されている。このテーパ面１５Ｅと対向する、雌ハウジング１０の上面の後方領域は、前方領域に比べて一段低くなっており、ロックアーム１５の後方領域と雌ハウジング１０の上面の後方領域との間にロックアーム１５の撓み領域を十分に確保できる構造となっている。雌ハウジング１０の上面の前方領域内側にはランス１２の撓み空間１３が形成されており、雌ハウジング１０全体として低背化が図られている。
【００１６】
また、雌ハウジング１０の上面には、図１に示すように、ロックアーム１５の操作部１５Ａの周囲を取り囲む反転防止壁１６が立設されている。反転防止壁１６は、雌ハウジング１０の上面の両側端部分に接続された一対の脚部１６Ａと両脚部１６Ａ間に架設された天井部１６Ｂとにより全体として門型に形成され、その内側に操作部１５Ａを配した構造となっている。かかる反転防止壁１６により、後方から電線Ｗがロックアーム１５に引っ掛ってロックアーム１５が捲れあがる事態を回避できるようになっている。反転防止壁１６の天井部１６Ｂには、図２に示すように、操作部１５Ａに指を押し当て可能とするための指通し孔１６Ｅが切り欠き形成されている。
【００１７】
また、雌ハウジング１０の前面側には、図１に示すように、両側壁２５と上壁２６とが取り囲むことで門型枠状をなす装着枠２７が形成されている。装着枠２７には別体としての前壁部材５０が下方から嵌挿されて上壁２７に当て止め可能とされる。
前壁部材５０は、合成樹脂材によって平板状に形成され、各キャビティ１１と同数で、かつ各キャビティ１１と連通可能な上下二段で幅方向に複数列のタブ挿通孔５１を有している。また、前壁部材５０は、ランス１２の成形に伴う型抜き孔１４と連通可能な治具挿通孔５２を有している。治具挿通孔５２は、上下二段に分かれて構成され、各タブ挿通孔５１とは千鳥配列の位置関係となる。
【００１８】
前壁部材５０は、図９に示すように、装着状態に至ることにより、タブ挿通孔５１がキャビティ１１と連通するとともに、治具挿通孔５２が型抜き孔１４と連通する。したがって、この状態で、前方からタブ挿通孔５１にタブが挿入されると、このタブの先端は、タブ挿通孔５１からキャビティ１１内に挿入された雌端子金具４０の本体部４１内に進入し、本体部４１内に配された弾性接触片４５と接触して両者の接続がとられる。このとき、仮に位置あわせに誤差があってタブが正規位置からずれた位置に進入したとすると、タブは前壁部材５０のタブ挿通孔５１からずれることでタブ挿通孔５１の開口縁部に突き当たる。したがって、雌ハウジング１０にキャビティ１１と連通する型抜き孔１４が形成されているという事情があっても、その型抜き孔１４にタブが誤って進入することが防止される。しかも、前壁部材５０の前面におけるタブ挿通孔５１の孔周りにはタブの誘い込み用のテーパ面５１Ａが形成されているので、タブの位置ずれが矯正されてタブが雌端子金具４０の本体部４１内へ確実に導かれる。
【００１９】
一方、前方から治具挿通孔５２にランス係止解除用の治具（図示せず）が挿入されると、この治具の先端は、治具挿通孔５２から型抜き孔１４に進入し、ランス１２の先端部における係止突起１２Ａの前面に突き当たって、ランス１２を係止解除方向となる撓み空間１３側へ押し上げることが可能となる。
【００２０】
また、雌ハウジング１０の外面には、リテーナ９０を装着させるためのリテーナ装着孔１７が開設されている。リテーナ装着孔１７は、図３及び図５に示すように、雌ハウジング１０の下面（本発明の「リテーナの差し込み方向に対向する面」に相当）から両側面（本発明の「リテーナの差し込み方向に対向する面に隣接する二面」に相当）にかけた三面領域に亘って形成され、したがって、リテーナ装着孔１７は三方に開口する形態となっている。このリテーナ装着孔１７は、図８に示すように、各キャビティ１１と連通して上下二段のキャビティ１１を前後に分断する深さをもって形成されている。
【００２１】
雌ハウジング１０におけるリテーナ装着孔１７によって切り欠かれた部分では、前面側が各キャビティ１１の開口縁が全てほぼ鉛直に切り立つように形成されているが、後面側は各キャビティ１１の開口縁が前方に向けて昇り勾配となるような傾斜をもって形成されている。雌ハウジング１０の後面下部には、リテーナ装着孔１７の後側の孔縁における傾斜面と連続する傾斜面をもった指掛け突部１８が形成されている。この傾斜面は、リテーナ装着孔１７に対するリテーナ９０の差し込み方向、つまりリテーナ９０の押し込み方向に沿って形成されている。
【００２２】
また、雌ハウジング１０の両側面におけるリテーナ装着孔１７の開口よりも前方下側領域には、図５に示すように、雌ハウジング１０の外面から一段落ちた段差面２３が形成され、この段差面２３には前後方向に延出するリブ状の係止突部２４が形成されている。この係止突部２４の主たる役割は、後述するように、リテーナ９０を仮係止位置と本係止位置とに保持することである。また、係止突部２４の下面は、図１２に示すように、外側に向けて昇り勾配となるテーパ面２４Ａとなっており、ここをリテーナ９０の被係止突部９６（後述する）が弾性的に乗り越えるようになっている。さらに、係止突部２４の上面は、ほぼ水平な係止面２４Ｂとなっており、ここに被係止突部９６が係止されるようになっている。
【００２３】
雌ハウジング１０の下面におけるリテーナ装着孔１７の開口よりも前方領域には、図３に示すように、上記の段差面２３が連続して形成されている。この段差面２３にリテーナ９０の支持板９３（後述する）が当接することで支持板９３の下面が雌ハウジング１０の下面の前端側とほぼ面一で連続する。
【００２４】
また、雌ハウジング１０の両側面の夫々には、図５に示すように、リテーナ装着孔１７の開口を挟んだ前後の領域間に跨ってブリッジ部２０が一体に架設されている。雌ハウジング１０の両側面におけるリテーナ装着孔１７の開口は、ブリッジ部２０により概ね半分が覆い隠される。詳細にはブリッジ部２０は、幅方向に肉薄の長板状をなし、リテーナ９０の差し込み方向に沿ってつまりリテーナ装着孔１７の傾斜面と平行して斜めに配置されたガイド部１９と、リテーナ９０の差し込み方向と交差して水平に配置されたストッパ部２１とからなる。後に詳述するが、ガイド部１９の主たる役割はリテーナ９０を装着位置まで案内することであり、ストッパ部２１の主たる役割はリテーナ９０の抜け出しを防止することである。そして、ガイド部１９の後縁とリテーナ装着孔１７の開口の後縁との間で、かつリテーナ装着孔１７をガイド部１９とストッパ部２１とによって区画する部分には、リテーナ９０の被ガイド部９１（後述する）が嵌め込まれるガイド孔２２が開設されている。
【００２５】
ここで、ガイド部１９の前端はリテーナ装着孔１７の開口の前縁上部に接続されるとともに、ストッパ部２１の後端はリテーナ装着孔１７の開口の後縁下部に接続されており、ガイド部１９の後端とストッパ部２１の前端とがリテーナ装着孔１７の開口上で一体につながっている。ガイド部１９及びストッパ部２１は、いずれも延出方向の全域に亘って同幅をもって形成され、かつ、ガイド部１９の幅寸法は、ストッパ部２１の幅寸法よりも小さく設定されている。
【００２６】
また、ブリッジ部２０の外面と雌ハウジング１０の外面とはほぼ面一で連続しており、ガイド部１９の後縁後方に、ブリッジ部２０の成形に伴う型抜き溝２８が雌ハウジング１０の後面に開口して形成されている。同様に、ガイド部１９の前縁前方にもブリッジ部２０の成形に伴う型抜き溝２８が雌ハウジング１０の前面に開口して形成されている。この雌ハウジング１０の前面に開口する型抜き溝２８の溝底は段差面２３とほぼ面一で連続しており、この型抜き溝２８が成形されるのに伴い、係止突部２４の上面が成形されるようになっている。なお、型抜き溝２８の深さはブリッジ部２０の厚みに対応している。
【００２７】
続いて、リテーナ９０について説明する。リテーナ９０は、雌ハウジング１０と同様、合成樹脂材によって形成され、リテーナ装着孔１７に適合して嵌合されるリテーナ本体部９２と、このリテーナ本体部９２の下面に連なってさらに前方に張り出す支持板９３とを備える。このリテーナ９０は、仮係止位置と本係止位置との間を雌端子金具４０の挿抜方向に対して斜めに移動可能とされる。また、リテーナ本体部９２の下面後端から下向きに突き出るようにして操作部９９が全幅に亘って形成されている。操作部９９は、リテーナ９０が仮係止位置にあるときに、指掛け突部１８と対向して配される。
【００２８】
リテーナ本体部９２には、雌ハウジング１０の各段におけるキャビティ１１と同数個の窓枠９４が形成されている。各窓枠９４は、雌ハウジング１０の下段のキャビティ１１と連通可能に形成されている。各窓枠９４の前面側の開口縁は、リテーナ装着孔１７の前側の孔縁と適合するようにほぼ鉛直に切り立って形成され、各窓枠９４の後面側の開口縁は、リテーナ装着孔１７の後側の孔縁と適合するような傾斜をもって形成されている。そして、各窓枠９４の下部の前半部分及びリテーナ本体部９２の上部には、リテーナ９０が仮係止位置にあるときにはキャビティ１１から下方に退避して配されることで雌端子金具４０の挿抜を許容するものの、リテーナ９０が本係止位置にあるときにはキャビティ１１内に進入するとともに雌端子金具４０の本体部４１の後端顎部４１Ｅに対面してこれを係止可能とされ、ここが雌端子金具４０に対する抜け止め部９８となる。各抜け止め部９８は、リテーナ９０が仮係止位置から本係止位置へと移動する場合に、雌端子金具４０が正規深さに達していないと、その前面でもって雌端子金具４０を前方へ押しやって正規深さに至らしめる機能を有する。
【００２９】
リテーナ本体部９２の両側面、つまり幅方向両端位置に配された一対の窓枠９４の外側面には、その窓枠９４の後縁に沿って斜めに延出するリブ状の被ガイド部９１が形成されている。被ガイド部９１はストッパ部２１を弾性的に拡開させたあとガイド孔２２に嵌め入れられ、図６に示すように、このガイド孔２２に嵌め入れられた被ガイド部９１がストッパ部２１に掛け止めされることでリテーナ９０の抜け止めがなされる。
【００３０】
また、被ガイド部９１は、ガイド部１９と摺接しつつ斜め前上方に移動可能とされ、図７に示すように、ガイド孔２２の上側の孔縁に突き当たることでその移動が規制される。リテーナ９０は、被ガイド部９１がストッパ部２１に掛け止めされた位置となるガイド孔２２の下端に位置するときには仮係止位置に保持される一方、被ガイド部９１がガイド孔２２の上側の孔縁に突き当たる位置となるガイド孔２２の上端に位置するときには本係止位置に保持される。したがって、この被ガイド部９１の配置でリテーナ９０が仮係止位置にあるのか本係止位置にあるのかを視認することが可能となる。また、被ガイド部９１の外面のうちの長さ方向の中心線を境とした片側（リテーナ装着孔１７の開口の後縁と対向する側）は面取り９１Ａが施されており、被ガイド部９１がストッパ部２１を乗り越える動作が円滑になされるようにしてある。
【００３１】
また、リテーナ９０の支持板９３は、図４及び図５に示すように、リテーナ本体部９２の両側面より少し幅方向に張り出すとともにリテーナ本体部９２の前面から前方に突き出る水平板状に形成され、リテーナ９０が本係止位置にあるときに、雌ハウジング１０の下面におけるリテーナ装着孔１７の開口を閉止可能な大きさをもって形成される。
【００３２】
そして、支持板９３の両側縁のうちの前半部分には、ほぼ鉛直に立ち上げられた一対の立板９５が形成され、両立板９５と支持板９３とで全体として略コの字を呈するようになっている。両立板９５は、雌ハウジング１０の両側面間を跨いで挟むことが可能な間隔をもって配され、かつ内外に拡開変形可能となっている。立板９５の後側の内面はリテーナ本体部９２の両側面に接合されている。立板９５の後端縁は、各窓枠９４の後面側の開口縁とほぼ同じ傾斜角で斜めに形成され、被ガイド部９１との間にガイド部１９を幅方向に挟み込む形態となっている。また、立板９５と被ガイド部９１との間にはガイド溝９７が形成され、リテーナ９０が仮係止位置と本係止位置との間を移動する際には、このガイド溝９７に沿ってガイド部１９の移動が許容される。
【００３３】
そして、両立板９５の上端はリテーナ本体部９２の前方において同じ高さ位置で連なっており、この上端部の内面には、図１に示すように、被係止突部９６が対向状に形成されている。被係止突部９６の上面は、図１１に示すように、係止突部２４の下面とほぼ同じ傾斜角で内側に向けて下り勾配となるテーパ面９６Ａとなっており、被係止突部９６の下面は、ほぼ水平な被係止面９６Ｂとなっている。立板９５の内面のうち係止突部２４よりも下方には、図１に示すように、リテーナ９０が本係止位置に至ったときに、係止突部２４が嵌まり込む括れ部９５Ａが凹み形成されている。括れ部９５Ａは、被係止突部９６の外形形状と対応する形状に抉られている。
【００３４】
リテーナ９０が仮係止位置にあるときには、図１１に示すように、被係止突部９６の上面におけるテーパ面９６Ａと係止突部２４の下面におけるテーパ面２４Ａとが斜めに当り合うことで、リテーナ９０の本係止位置への移動が緩く規制される。一方、リテーナ９０が本係止位置側に押し込まれると、仮係止状態が解除され、両テーパ面２４Ａ，９６Ａが摺接し合って立板９５が拡開変形される。そして、リテーナ９０が本係止位置に至ると、図１２に示すように、立板９５が元の鉛直姿勢に復元して被係止突部９６の下面における被係止面９６Ｂと係止突部２４の上面における係止面２４Ｂとがほぼ水平に当り合うことで、リテーナ９０の仮係止位置側への移動が強固に規制される。また、リテーナ９０が本係止位置に至ると、両立板９５は、雌ハウジング１０の前面に開口する型抜き溝２８に嵌入し、その上端が型抜き溝２８の側縁に当て止めされ、かつ、その外面が雌ハウジング１０の外面とほぼ面一で連続する。
【００３５】
次に、本実施形態の作用を説明する。まず前壁部材５０を雌ハウジング１０の前面に装着する。続いて、リテーナ９０を雌ハウジング１０に装着して仮係止位置に保持させる。リテーナ９０が仮係止位置に至る過程では、被ガイド部９１がストッパ部２１を弾性的に乗り越えてガイド孔２２に嵌まり込む。このとき、リテーナ９０の両立板９５が雌ハウジング１０の両側面間を跨いで配置され、被係止突部９６と係止突部２４とが当り合う。したがって、仮係止位置では、図６及び図１１に示すように、リテーナ９０は、被ガイド部９１とストッパ部２１とのい当接によって抜け止めがなされるとともに、被係止突部９６と係止突部２４との当接によって本係止位置への移動が緩く規制される。また、仮係止位置では、図９に示すように、抜け止め部９８がキャビティ１１から退避した位置にあって雌端子金具４０を挿入可能とされる。
【００３６】
この状態で、後方から雌端子金具４０をキャビティ１１内に挿入し、雌端子金具４０をランス１２に弾性的に係止させる。全ての雌端子金具４０の挿入作業が完了したら、リテーナ９０の操作部９９を摘んで強く押し込み操作し、リテーナ９０を本係止位置へと移動させる。このとき、被ガイド部９１とガイド部１９とが摺接し合うことにより、リテーナ９０の本係止位置への移動が円滑になされる。また、移動の間、立板９５の拡開変形を伴いつつ被係止突部９６が係止突部２４を弾性的に乗り越える。
【００３７】
リテーナ９０が本係止位置に達すると、図１２に示すように、被係止突部９６が係止突部２４に掛け止めされ、リテーナ９０の仮係止位置への戻りが規制される。また、図７に示すように、被ガイド部９１がガイド孔２２の上側の孔縁に当て止めされるとともに立板９５が型抜き溝２８の側縁に当て止めされ、リテーナ９０が本係止位置より先方に移動するのが規制される。そして、雌ハウジング１０の内部では、図１０に示すように、各窓枠９４の抜け止め部９８が対応する雌端子金具４０の本体部４１に係止可能となり、雌端子金具４０をランス１２とともに二重に抜け止めする。
【００３８】
本実施形態によれば、雌ハウジング１０の外面のうちの三面領域に亘ってリテーナ装着孔１７が開口しているという事情があっても、雌ハウジング１０の両側面に、リテーナ装着孔１７の開口を挟んだ前後の領域間を架け渡すブリッジ部２０が設けられているから、金型成形時、ブリッジ部２０を成形するための領域にも樹脂が流れ、もって樹脂流動性を向上させることができる。
そして、かかるブリッジ部２０にはリテーナ９０の差し込み方向にガイド部１９が形成され、リテーナ９０にはリテーナ装着孔１７に差し込まれる過程でガイド部１９と摺接してこのリテーナ９０の差し込み動作を案内する被ガイド部９１が形成されているから、リテーナ９０の差し込み姿勢が矯正されるとともに正規の装着位置へと確実に導かれる。つまり、ブリッジ部２０がリテーナ９０のガイド機能を兼用するので、かかるガイド機能を別途設けなくて済む。
【００３９】
また、被ガイド部９１がストッパ部２１に掛け止めされることでリテーナ９０の抜け止めがなされるから、仮係止位置におけるリテーナ９０の外れ落ちを防止できる。つまり、ブリッジ部２０がリテーナ９０の抜け止め機能を兼用するので、かかる抜け止め機能を別途設けなくて済む。
【００４０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明においては、雌ハウジングの両側面におけるリテーナ装着孔の開口をガイド孔を残してブリッジ部で閉塞するようにしてもよい。
（２）本発明においては、ブリッジ部が雌ハウジングの両側面のうちのいずれか一方の側面に設けられるだけでもよい。
（３）本発明において、ストッパ部はなくても構わない。
（４）本発明において、前壁部材はなくても構わない。
（５）本発明は、雄側のコネクタハウジングを備えた雄型のコネクタにも適用できる。
【図面の簡単な説明】
【００４１】
【図１】本発明の一実施形態のコネクタにおいて雌ハウジングにリテーナを装着する前の状態を示す正面図
【図２】雌ハウジングの平面図
【図３】雌ハウジングの底面図
【図４】リテーナの平面図
【図５】雌ハウジングにリテーナを装着する前の状態を示す側面図
【図６】リテーナが仮係止位置にある状態を示す側面図
【図７】リテーナが本係止位置にある状態を示す側面図
【図８】雌ハウジングにリテーナを装着する前の状態を示す側断面図
【図９】リテーナが仮係止位置にある状態を示す側断面図
【図１０】リテーナが本係止位置にある状態を示す側断面図
【図１１】リテーナが仮係止位置にある状態を示す縦断面図
【図１２】リテーナが本係止位置にある状態を示す縦断面図
【符号の説明】
【００４２】
１０…雌ハウジング（ハウジング）
１５…ロックアーム
１７…リテーナ装着孔
１９…ガイド部
２０…ブリッジ部
２１…ストッパ部
２２…ガイド孔
２４…係止突部
９０…リテーナ
９１…被ガイド部
９２…リテーナ本体部
【図１】
2006216323.tif 000003
【図２】
2006216323.tif 000004
【図３】
2006216323.tif 000005
【図４】
2006216323.tif 000006
【図５】
2006216323.tif 000007
【図６】
2006216323.tif 000008
【図７】
2006216323.tif 000009
【図８】
2006216323.tif 000010
【図９】
2006216323.tif 000011
【図１０】
2006216323.tif 000012
【図１１】
2006216323.tif 000013
【図１２】
2006216323.tif 000014